【手続補正書】
【提出日】平成18年2月24日(2006.2.24)
【手続補正１】
【補正対象書類名】明細書
【補正対象項目名】発明の名称
【補正方法】変更
【補正の内容】
【発明の名称】医療情報表示装置及び医療情報表示方法
【手続補正２】
【補正対象書類名】明細書
【補正対象項目名】特許請求の範囲
【補正方法】変更
【補正の内容】
【特許請求の範囲】
【請求項１】  医用画像データおよび医用画像の付帯情報を管理するデータベースと、
前記データベースが管理する医用画像データを検索する検索手段と、
前記検索手段で検索した結果をリストとして表示するリスト表示手段と、
前記リスト表示手段で表示したリストの中からいずれかを選択し、選択した結果に対応する医用画像を表示する画像表示手段と、
前記画像表示手段で表示した医用画像に対する読影レポートを入力する読影レポート入力手段と、
前記読影レポート入力手段で入力した読影レポートをデータベースへ保存する読影レポート保存手段とを有し、
前記リスト表示手段は、前記読影レポート入力手段により読影レポートが入力されたことを表す情報を前記リストに表示することを特徴とする医療情報表示装置。
【請求項２】  前記リスト表示手段は、前記読影レポート入力手段により入力される読影レポートの有無により、前記リストの表示方法を変更することを特徴とする請求項１に記載の医療情報表示装置。
【請求項３】  前記リスト表示手段は、患者をベースとした患者リストを表示する患者リスト表示モードと、患者が持つ検査をベースとした検査リストを表示する検査リスト表示モードとを切り替えるリスト表示モード切り替え手段を有し、
前記リスト表示モード切り替え手段で切り替えたモードに従ったリストを表示することを特徴とする請求項１または２に記載の医療情報表示装置。
【請求項４】  前記リスト表示手段は、前記データベースに保存されている医用画像の付帯情報に基づいて、同一患者の検査が複数あるかどうかを判断し、同一患者の検査が複数あると判断した場合に、前記患者リスト表示モードと前記検査リスト表示モードとを切り替えることを特徴とする請求項３に記載の医療情報表示装置。
【請求項５】  前記リスト表示手段は、前記患者が持つ全ての検査に対する読影レポートがある場合には、その患者のリスト表示は読影済であることを表す表示態様とし、前記患者が持つ全ての検査に対する読影レポートがない場合には、その患者のリスト表示は未読影であることを表す表示態様とし、前記患者が持つ検査の一部のみに対して読影レポートがある場合には、その患者のリスト表示は一部のみ読影済であることを表す表示態様とすることを特徴とする請求項３または４に記載の医療情報表示装置。
【請求項６】  前記読影レポート保存手段は、前記読影レポート入力手段で入力した読影レポートをユーザ毎に保存し、
前記リスト表示手段は、前記ユーザの読影レポートの有無を判断することにより、前記ユーザに固有のリストを表示することを特徴とする請求項１乃至５の何れか１項に記載の医療情報表示装置。
【請求項７】  前記リスト表示手段は、前記読影レポートの内容によって表示態様を異ならせてリストを表示することを特徴とする請求項１乃至６の何れか１項に記載の医療情報表示装置。
【請求項８】  データベースが管理する医用画像データを検索する検索処理と、
前記検索処理で検索した結果をリストとして表示するリスト表示処理と、
前記リスト表示処理で表示したリストの中から選択された内容に対応する医用画像を表示する画像表示処理と、
前記画像表示処理で表示した医用画像に対する読影レポートを入力する読影レポート入力処理と、
前記読影レポート入力処理で入力した読影レポートをデータベースへ保存する読影レポート保存処理とを行い、
前記リスト表示処理は、前記読影レポート入力処理により読影レポートが入力されたことを表す情報を前記リストに表示することを特徴とする医療情報表示方法。
【請求項９】  データベースが管理する医用画像データを検索する検索処理と、
前記検索処理で検索した結果をリストとして表示するリスト表示処理と、
前記リスト表示処理で表示したリストの中から選択された内容に対応する医用画像を表示する画像表示処理と、
前記画像表示処理で表示した医用画像に対する読影レポートを入力する読影レポート入力処理と、
前記読影レポート入力処理で入力した読影レポートをデータベースへ保存する読影レポート保存処理とをコンピュータに実行させ、
前記リスト表示処理は、前記読影レポート入力処理により読影レポートが入力されたことを表す情報を前記リストに表示することを特徴とするコンピュータプログラム。
【請求項１０】  請求項９に記載のコンピュータプログラムを記録したことを特徴とするコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、医療情報表示装置および医療情報表示方法に関し、特に、医用画像の読影状況を把握するために用いて好適なものである。
【手続補正４】
【補正対象書類名】明細書
【補正対象項目名】００１３
【補正方法】変更
【補正の内容】
【００１３】
【課題を解決するための手段】
本発明の医療情報表示装置は、医用画像データおよび医用画像の付帯情報を管理するデータベースと、前記データベースが管理する医用画像データを検索する検索手段と、前記検索手段で検索した結果をリストとして表示するリスト表示手段と、前記リスト表示手段で表示したリストの中からいずれかを選択し、選択した結果に対応する医用画像を表示する画像表示手段と、前記画像表示手段で表示した医用画像に対する読影レポートを入力する読影レポート入力手段と、前記読影レポート入力手段で入力した読影レポートをデータベースへ保存する読影レポート保存手段とを有し、前記リスト表示手段は、前記読影レポート入力手段により読影レポートが入力されたことを表す情報を前記リストに表示することを特徴とする。
本発明の医療情報表示方法は、データベースが管理する医用画像データを検索する検索処理と、前記検索処理で検索した結果をリストとして表示するリスト表示処理と、前記リスト表示処理で表示したリストの中から選択された内容に対応する医用画像を表示する画像表示処理と、前記画像表示処理で表示した医用画像に対する読影レポートを入力する読影レポート入力処理と、前記読影レポート入力処理で入力した読影レポートをデータベースへ保存する読影レポート保存処理とを行い、前記リスト表示処理は、前記読影レポート入力処理により読影レポートが入力されたことを表す情報を前記リストに表示することを特徴とする。
本発明のコンピュータプログラムは、データベースが管理する医用画像データを検索する検索処理と、前記検索処理で検索した結果をリストとして表示するリスト表示処理と、前記リスト表示処理で表示したリストの中から選択された内容に対応する医用画像を表示する画像表示処理と、前記画像表示処理で表示した医用画像に対する読影レポートを入力する読影レポート入力処理と、前記読影レポート入力処理で入力した読影レポートをデータベースへ保存する読影レポート保存処理とをコンピュータに実行させ、前記リスト表示処理は、前記読影レポート入力処理により読影レポートが入力されたことを表す情報を前記リストに表示することを特徴とする。
本発明のコンピュータ読み取り可能な記録媒体は、前記コンピュータプログラムを記録したことを特徴とする。